(57)【特許請求の範囲】
【請求項１】
機器本体と、
前記機器本体の一つの面に重なる第１の位置と、前記第１の位置よりも一端部が前記一つの面から突出した第２の位置とに亘って移動自在に設けられた可動部と、
前記一つの面に設けられ外気を流入可能な開口部と、
前記機器本体内に設けられた冷却ファンと、を備えた電子機器において、
前記可動部の前記機器本体に対する相対的な位置を検出可能な検出手段と、
前記冷却ファンの回転数を制御する制御手段とを備え、
前記制御手段は、前記可動部が前記第１の位置に位置付けられていることを前記検出手段が検出すると、前記冷却ファンを第１の回転数で回転させ、前記可動部が、前記第１の位置と、当該第１の位置と前記第２の位置との間の第３の位置との間に位置付けられていることを前記検出手段が検出すると、前記冷却ファンを第１の回転数よりも低い第２の回転数で回転させ、前記可動部が前記第３の位置よりも前記第２の位置寄りに位置付けられていることを前記検出手段が検出すると、前記冷却ファンを停止させることを特徴とする電子機器。
【請求項２】
機器本体と、
前記機器本体の一つの面に重なる第１の位置と、前記第１の位置よりも一端部が前記一つの面から突出した第２の位置とに亘って移動自在に設けられた可動部と、
前記一つの面に設けられ外気を流入可能な開口部と、
前記機器本体内に設けられた冷却ファンと、を備えた電子機器において、
前記可動部の前記機器本体に対する相対的な位置を検出可能な検出手段と、
前記冷却ファンの回転数を制御する制御手段とを備え、
前記制御手段は、前記可動部が前記第１の位置から前記第２の位置に向かうにしたがって、前記冷却ファンの回転数を徐々に低下させることを特徴とする電子機器。
【発明の詳細な説明】
【技術分野】
【０００１】
本発明は、例えば、移動体としての自動車などに装着される機器本体に対し移動自在な可動部としてのフロントパネルなどを備えた電子機器に関する。
【背景技術】
【０００２】
移動体としての自動車のインストルメントパネル（以下インパネと呼ぶ）には、電子機器としてのカーステレオ（例えば、特許文献１参照。）が取り付けられる。カーステレオは、前記インパネに取り付けられる機器本体と液晶ディスプレイ等の表示部や各種操作ボタンを有する可動部としてのフロントパネルとを備えている。
【０００３】
機器本体は、ＣＤプレーヤ、ＭＤ（Mini disc）プレーヤやナビゲーション装置を構成するＤＶＤ−ＲＯＭプレーヤなどを内蔵している。フロントパネルは、液晶ディスプレイなどに前記ナビゲーション装置における地図情報や、ＣＤプレーヤ及びＭＤプレーヤの再生状況を示す情報などを表示する。また、フロントパネルは、前記ナビゲーション装置、ＣＤプレーヤ、ＭＤプレーヤの各種機能の動作指令を行う際に操作されるタッチスイッチや押圧ボタンが設けられている。
【０００４】
前述したカーステレオは、インパネに装着する際にかかる設置スペースを抑制するために、機器本体の使用者に相対する一つの面（以下前面と称する）に前記ＣＤ、ＭＤ、ＤＶＤ−ＲＯＭを機器本体内に出し入れ自在とする挿入口を設けている。さらに、カーステレオは、前記前面を覆う第１の位置と前記前面の少なくとも一部を開放する第２の位置とに亘って、フロントパネルをスライド移動可能としている。このため、前面には、フロントパネルを第１の位置と第２の位置とに亘って移動させる移動手段や、機器本体とフロントパネルとを電気的に接続するＦＰＣなどを機器本体に出し入れするための開口部が設けられている。
【０００５】
また、カーステレオは、機器本体内の熱せられた空気を機器本体の背面側から機器本体外に排出して、当該機器本体内の電気部品などを冷却するための冷却ファンが設けられている。この冷却ファンによって、前記開口部を通して外気が機器本体内に吸引される。
【０００６】
前述したカーステレオは、フロントパネルを機器本体の前面の少なくとも一部を開放する第２の位置に位置させて、ＣＤ、ＭＤ、ＤＶＤ−ＲＯＭなどを機器本体内に出し入れする。ＣＤ、ＭＤ、ＤＶＤ−ＲＯＭなどを機器本体内に挿入した後、前面を覆う第１の位置にフロントパネルを移動させて、タッチスイッチや各種の押圧ボタンを操作して、ＣＤプレーヤ、ＭＤプレーヤ、ＤＶＤ−ＲＯＭプレーヤなどを駆動させる。これらプレーヤの再生状況を示す情報を液晶ディスプレイなどに表示する。
【特許文献１】特開平１０−５１７１２号公報
【発明の開示】
【発明が解決しようとする課題】
【０００７】
前述した従来のカーステレオは、冷却ファンを常に一定の回転数で回転するために、特に、フロントパネルを第２の位置に位置付けると、前記開口部が開放されて、フロントパネルが前記開口部を覆う第１の位置に位置付けられている場合よりも、当該開口部を通して機器本体内に吸い込む外気の量が増加する。このために、フロントパネルを第２の位置に位置付けると、開口部を通して機器本体内に吸い込む外気の量が増加するために、冷却ファンが発生する騒音が大きくなって、望ましくない。
【０００８】
上記した問題点を鑑みてなされた本発明の目的の一例は、機器本体の一つの面の少なくとも一部を可動部が露出させた際の冷却ファンが発生する騒音を抑制できる電子機器を提供することにある。
【課題を解決するための手段】
【０００９】
前記課題を解決し目的を達成するために、請求項１に記載の本発明の電子機器は、機器本体と、前記機器本体の一つの面に重なる第１の位置と、前記第１の位置よりも一端部が前記一つの面から突出した第２の位置とに亘って移動自在に設けられた可動部と、前記一つの面に設けられ外気を流入可能な開口部と、前記機器本体内に設けられた冷却ファンと、を備えた電子機器において、前記可動部の前記機器本体に対する相対的な位置を検出可能な検出手段と、前記冷却ファンの回転数を制御する制御手段とを備え、前記制御手段は、前記可動部が前記第１の位置に位置付けられていることを前記検出手段が検出すると、前記冷却ファンを第１の回転数で回転させ、前記可動部が、前記第１の位置と、当該第１の位置と前記第２の位置との間の第３の位置との間に位置付けられていることを前記検出手段が検出すると、前記冷却ファンを第１の回転数よりも低い第２の回転数で回転させ、前記可動部が前記第３の位置よりも前記第２の位置寄りに位置付けられていることを前記検出手段が検出すると、前記冷却ファンを停止させることを特徴としている。
また、請求項２に記載の本発明の電子機器は、機器本体と、前記機器本体の一つの面に重なる第１の位置と、前記第１の位置よりも一端部が前記一つの面から突出した第２の位置とに亘って移動自在に設けられた可動部と、前記一つの面に設けられ外気を流入可能な開口部と、前記機器本体内に設けられた冷却ファンと、を備えた電子機器において、前記可動部の前記機器本体に対する相対的な位置を検出可能な検出手段と、前記冷却ファンの回転数を制御する制御手段とを備え、前記制御手段は、前記可動部が前記第１の位置から前記第２の位置に向かうにしたがって、前記冷却ファンの回転数を徐々に低下させることを特徴としている。
【発明を実施するための最良の形態】
【００１０】
この発明の電子機器は、上記のように、検出手段の検出した可動部の位置に基づいて、可動部が第１の位置の位置付けられた場合よりも第２の位置に位置付けられた場合の冷却ファンの回転数を低くする（冷却ファンの停止を含む）。このため、第１の位置における機器本体の一つの面に設けられた開口部を通して機器本体内に吸い込む外気の量と、第２の位置における開口部を通して機器本体内に吸い込む外気の量との差を抑制できる。こうすることで、機器本体の一つの面の少なくとも一部を可動部が露出させた際の冷却ファンが発生する騒音を抑制することができる。なお、第２の位置の方が第１の位置のときよりも開口部が露出して、当該開口部を通して外気を機器本体内に吸い込み易くなるので、機器本体内をより冷却でき当該機器本体の温度が低下し易いので、第２の位置に位置付けられた場合の冷却ファンの回転数を下げても、電子機器の動作に支障を与えることがない。したがって、可動部が第１の位置の位置付けられた場合よりも第２の位置に位置付けられた場合の冷却ファンの回転数を低くしても、電子機器の動作に支障を与えることがない。
【００１１】
また、請求項１に記載の本発明の電子機器において、可動部が第１の位置と第３の位置との間に位置付けられると、冷却ファンの回転数を第１の位置における第１の回転数よりも低い第２の回転数としている。この場合、第１の位置における機器本体の一つの面に設けられた開口部を通して機器本体内に吸い込む外気の量と、第１の位置と第３の位置との間における開口部を通して機器本体内に吸い込む外気の量との差を確実に抑制でき、機器本体の一つの面の少なくとも一部を可動部が露出させた際の冷却ファンが発生する騒音を確実に抑制することができる。
【００１２】
さらに、請求項１に記載の本発明の電子機器では、第３の位置よりも第２の位置寄りに可動部が位置付けられると、冷却ファンを停止させる。この場合、冷却ファンが停止するので、勿論、冷却ファンが発生する騒音がなくなる。
【００１３】
また、請求項２に記載の本発明の電子機器では、可動部が第１の位置から第２の位置に向かうにしたがって冷却ファンの回転数を徐々に低下させる。この場合、機器本体の一つの面の少なくとも一部を可動部が露出させた際の冷却ファンが発生する騒音を確実に抑制することができる。
【実施例】
【００１４】
本発明の一実施例にかかる電子機器としての多機能電子機器１を図１乃至図６を参照して説明する。図１などに示す多機能電子機器１は、移動体としての自動車のインストルメントパネルに装着される。多機能電子機器１は、図１ないし図３に示すように、機器本体２と、可動部としての操作表示ユニット３と、操作表示ユニット３を後述の前面１０ａに対しスライド移動させる駆動機構４（図６に示す）と、検出手段としての検出器５（図５に示す）と、冷却ファン６（図５及び図６に示す）と、記録手段としてのＥＰＲＯＭ７（図５に示す）と、制御手段としてのマイクロプロセッサ８（図５に示し、以下、ＭＰＵと記す）とを備えている。
【００１５】
機器本体２は、箱状に形成されたケース１０と、このケース１０内に収容されるＣＤプレーヤ１１等の再生装置とを備えている。ケース１０には、当該ケース１０の図１中手前に位置する機器本体２の一つの面としての前面１０ａの全ての外縁から立設するように一体成形された複数の立設壁１０ｃを備えている。複数の立設壁１０ｃによって形成された空間領域に操作表示ユニット３をスライド移動自在に収容している。
【００１６】
図示例では、ケース１０内には、再生装置としてＣＤプレーヤ１１、ＭＤプレーヤ１２、ナビゲーション装置を構成するＤＶＤ−ＲＯＭプレーヤ１３が収容されている。また、図示してないが、ケース１０は、ラジオ放送を受信するＡＭ／ＦＭチューナ等やテレビ放送波を受信するテレビチューナ等を収容している。これらの再生装置や受信装置は、例えば、操作表示ユニット３に設けられた後述する押しボタン２０等を使用者が押圧することによって動作する。
【００１７】
前面１０ａには、図４に示すように、前記ＭＤプレーヤ１２にＭＤを挿入するためのスリット１４ａと、ＣＤプレーヤ１１及びＤＶＤ−ＲＯＭプレーヤ１３にＣＤ及びＤＶＤ―ＲＯＭを挿入する挿入口１４ｂ及び挿入口１４ｃとが設けられている。さらに、前面１０ａには、図４に示すように、その下端部に開口部１５が設けられている。開口部１５は、勿論、前面１０ａを貫通しているとともに、当該前面１０ａの幅方向の全長に亘って設けられている。
【００１８】
開口部１５は、後述する可動アーム２１を内側に通すとともに、機器本体２内の前述したプレーヤ１１，１２，１３などと操作表示ユニット３とを電気的に接続するＦＰＣなどを内側に通す。また、開口部１５は、勿論、外気を機器本体２内に流入可能としている。
【００１９】
さらに、空間領域内に収容された操作表示ユニット３の両側に位置する立設壁１０ｃの内面には、ガイド溝１６が、設けられている。即ち、ガイド溝１６は、機器本体２に設けられている。
【００２０】
ガイド溝１６は、鉛直方向に延在しており、立設壁１０ｃの内面から凹に形成されている。このガイド溝１６には、操作表示ユニット３の上端部３ａの回転自在に設けられたローラ１７が摺動可能に係合される。即ち、ガイド溝１６には、ローラ１７が侵入する。また、ガイド溝１６内には、後述する第１の位置で図１中の上端部（一端部）にローラ１７が位置し、第２の位置で図３中の下端部（他端部）にローラ１７が位置し、第３の位置で図２中の中央部にローラ１７が位置する。
【００２１】
操作表示ユニット３は、筐体１８と、当該筐体１８内に収容されかつ液晶ディスプレイ（ＬＣＤ：Liquid Crystal Display）などからなる画像情報等を表示する表示パネル１９と、を備えている。操作表示ユニット３は、表示パネル１９に、ＤＶＤ−ＲＯＭプレーヤ１３によって再生された地図情報や、テレビチューナが受信したテレビ放送波の映像等を表示する。
【００２２】
操作表示ユニット３は、一端部としての下端部３ｂが前面１０ａから突没自在に設けられ、かつ、他端部としての上端部３ａが前面１０ａに沿ってスライド自在にケース１０即ち機器本体２に取り付けられている。
【００２３】
また、操作表示ユニット３は、その表面に押しボタン２０を複数設けている。押しボタン２０は、使用者により押圧されることにより操作される。これらの押しボタン２０が操作されることにより、ケース１０の内部に収容された各種のプレーヤ１１，１２，１３等が動作する。
【００２４】
また、押しボタン２０が操作されることにより、操作表示ユニット３が図１に示す第１の位置と、図３に示す第２の位置と、これら第１の位置と第２の位置との間の図２に示す第３の位置とに亘って移動される。操作表示ユニット３は、駆動機構４の動作により、ガイド溝１６内をローラ１７が移動することで、第１の位置と第２の位置とに亘って移動される。
【００２５】
操作表示ユニット３は、第１の位置と、第３の位置と、第２の位置とに順に移動される。また、操作表示ユニット３は、第２の位置と、第３の位置と、第１の位置とに順に移動される。このとき、操作表示ユニット３の下端部３ｂが、前記前面１０ａから突没するとともに、操作表示ユニット３の上端部３ａが前面１０ａに沿ってスライドする。
【００２６】
第１の位置では、操作表示ユニット３は、前面１０ａの全体に平行に重ねられて、当該前面１０ａの全体を覆っている。第１の位置では、図１に示すように、操作表示ユニット３がスリット１４ａと挿入口１４ｂ，１４ｃを覆い隠している。
【００２７】
第２の位置では、図３に示すように、前述した前面１０ａに設けられた全てのスリット１４ａ及び挿入口１４ｂ，１４ｃを開放している。即ち、第２の位置では、操作表示ユニット３が前面１０ａを開放している。
【００２８】
第３の位置では、図２に示すように、操作表示ユニット３がスリット１４ａを覆い隠しているとともに挿入口１４ｂ，１４ｃを開放している。即ち、第３の位置では、操作表示ユニット３は、前面１０ａの一部を覆っている。
【００２９】
例えば、押しボタン２０のうちの選択ボタン（例えば、ＣＤ、ＭＤ等を選択するためのボタン）やＯＰＥＮボタンが押圧操作されると、操作表示ユニット３が駆動機構４によりスライド移動される。すなわち、選択ボタンによりＣＤが選択されると、駆動機構４によって操作表示ユニット３が前述した第３の位置までスライド移動される。
【００３０】
また、ＯＰＥＮボタンが押圧操作されることにより、機器本体２のケース１０の前面１０ａに形成されたすべての挿入口（スリット１４ａ、挿入口１４ｂ及び挿入口１４ｃ）が開放される第２の位置までスライド移動される。そして、ＣＤやＭＤ等の所望のディスクがスリット１４ａ及び挿入口１４ｂ，１４ｃから挿入又は排出されると、操作表示ユニット３は、駆動機構４により自動的にケース１０の前面１０ａを覆う第１の位置（すべてのスリット１４ａ及び挿入口１４ｂ，１４ｃを覆い隠す位置）まで移動される。
【００３１】
なお、第２の位置または第３の位置などのケース１０の前面１０ａを開放した状態で所望のディスクが挿入されると、操作表示ユニット３は自動的にその前面１０ａを覆う第１の位置に移動される。
【００３２】
そして、例えば、使用者が押しボタン２０のうち再生（プレイ）ボタンやサーチボタン等を操作することによりそのディスクの再生や、サーチ動作等が行われる。さらに、第１の位置では、ＭＰＵ８が使用者による押しボタン２０の操作や、ディスクが挿入されたことを認識して、その操作等に応じた操作表示ユニット３が機器本体２に対する相対的な位置となるように、後述のモータ２２の回転方向やその回転数を制御してスライド移動させる。このように、操作表示ユニット３のスライド移動は、ＭＰＵ８からの命令に基づいて、駆動機構４の後述のモータ２２の回転方向や回転数を制御することにより行われる。
【００３３】
駆動機構４は、図６に示すように、一対の可動アーム２１と、駆動源としてのモータ２２などを備えている。可動アーム２１は、一方向に沿って延びた帯状に形成されている。可動アーム２１は、その長手方向が前述した前面１０ａに対し直交（交差）する状態で機器本体２内に支持されている。可動アーム２１は、その長手方向に沿ってスライド自在に、機器本体２に支持されている。このため、可動アーム２１は、前面１０ａに対し直交（交差）する方向に沿ってスライド自在に設けられている。可動アーム２１は、スライドすることで、特に操作表示ユニット３寄りの一端部が前面１０ａから突没する。
【００３４】
一対の可動アーム２１は、機器本体２の幅方向に沿って間隔をあけて配置されている。可動アーム２１は、その一端部が操作表示ユニット３の下端部３ｂを回転自在に支持している。即ち、可動アーム２１は、操作表示ユニット３とともに前面１０ａに対し直交（交差）する方向に沿って移動する。
【００３５】
また、可動アーム２１の長手方向の中央部から機器本体２の奥寄りの他端部に亘ってラック部２３が一体に設けられている。さらに、可動アーム２１の長手方向の中央部から前述した一端部に亘って、複数のスリット２４が等間隔に配置されている。スリット２４は、可動アーム２１の上方に位置する縁から下方に向かって直線状に延在し、かつ、勿論、可動アーム２１を貫通しているとともに、当該可動アーム２１の長手方向に沿って並べられている。
【００３６】
モータ２２は、機器本体２内に収容されて、当該機器本体２に固定されている。モータ２２は、その出力軸に取り付けられたピニオンがラック部２３にかみ合っている。モータ２２は、その出力軸が回転駆動することにより、各可動アーム２１をその長手方向に沿ってケース１０に対しスライド移動させる。つまり、モータ２２の駆動力によって、各可動アーム２１は前面１０ａの下端部に形成された開口部１５を通してケース１０の内外方向に移動される。
【００３７】
前述した構成の駆動機構４は、モータ２２からの駆動力を受けて、各可動アーム２１が前面１０ａに対して直交する方向に沿って、機器本体２の内外方向に移動する。また、各可動アーム２１が機器本体２の内外方向に移動することで、操作表示ユニット３に設けられた後述するローラ１７がガイド溝１６に沿って摺動する。
【００３８】
すなわち、モータ２２からの駆動力を受けて各可動アーム２１が機器本体２の外方向に移動することにより操作表示ユニット３は、その表示パネル１９の表面が上方に向くようにして倒される。そして、操作表示ユニット３は、機器本体２の前面１０ａを開放する第３の位置又は第２の位置に移動される。また、可動アーム２１が機器本体２の内方向に移動することにより、倒された状態にある操作表示ユニット３は前面１０ａを覆う第１の位置に移動され、ローラ１７はガイド溝１６の上端部に位置付けられる。
【００３９】
前述した操作表示ユニット３及び可動アーム２１は、モータ２２からの駆動力により機器本体２に対し第１の位置と第２の位置とに亘って相対的に移動される。
【００４０】
検出器５は、機器本体２内に収容され、かつ当該機器本体２に取り付けられているとともに、機器本体２の幅方向に沿って互いに間隔をあけて配置されたＬＥＤ（発光ダイオード）とＰＤ（ホトダイオード）とを備えている。ＬＥＤはＰＤに向かって光を出射する。
【００４１】
ＬＥＤとＰＤとは、互いの間に可動アーム２１及びスリット２４を位置付ける位置に配置されている。ＬＥＤ及びＰＤは、互いの間にスリット２４が位置すると、ＬＥＤからの光が可動アーム２１に遮られること無くＰＤに受光でき、互いの間にスリット２４が位置しないと、ＬＥＤからの光が可動アーム２１に遮られてＰＤに受光できない位置に配置されている。
【００４２】
検出器５は、ＬＥＤからの光をＰＤが受光すると、当該ＰＤが光を受光したことを示す情報をＭＰＵ８に向かって出力する。検出器５は、可動アーム２１が前面１０ａに対して直交する方向にスライドする際に、ＬＥＤからの光をＰＤが受光してＰＤが光を受光したことを示す情報をＭＰＵ８に向かって出力したり、当該光が遮られて、操作表示ユニット３の機器本体２に対する相対的な位置を示す情報をＭＰＵ８に向かって出力する。
【００４３】
冷却ファン６は、図６に示すように、機器本体２内に収容されて、当該機器本体２に固定されている。冷却ファン６は、ＭＰＵ８の命令通りに回転駆動する。冷却ファン６は、回転駆動し、機器本体２内の気体を当該機器本体２の背面から排出することで、前面１０ａに設けられた開口部１５を通して外気を機器本体２内に吸い込む。こうして、冷却ファン６は、回転駆動することで、機器本体２内のプレーヤ１１，１２，１３などを冷却する。
【００４４】
ＥＰＲＯＭ７は、周知の不揮発性メモリであり、ＭＰＵ８によって、操作表示ユニット３の機器本体２に対する相対的な位置が記録される。
【００４５】
ＭＰＵ８は、周知のように、予め定めたプログラムに従って各種の処理や制御などを行う中央演算処理装置（ＣＰＵ）と、ＣＰＵのためのプログラム等を格納した読み出し専用のメモリであるＲＯＭと、各種のデータを格納するとともにＣＰＵの処理作業に必要なエリアを有する読み出し書き込み自在のメモリであるＲＡＭ等を有して構成している。ＭＰＵ８は、駆動機構４のモータ２２と、検出器５と、冷却ファン６と、ＥＰＲＯＭ７と接続して、これらなどを制御して、多機能電子機器１全体の制御をつかさどる。
【００４６】
ＭＰＵ８は、検出器５からのＬＥＤからの光をＰＤが受光したことを示す情報に基づいて、操作表示ユニット３の機器本体２に対する相対的な位置を算出して、当該相対的な位置をＥＰＲＯＭ７に書き込む。
【００４７】
ＭＰＵ８は、ＥＰＲＯＭ７に書き込まれた操作表示ユニット３の機器本体２に対する相対的な位置が前述した第１の位置である（即ち、操作表示ユニット３が第１の位置に位置付けられていることを検出器５が検出する）と、冷却ファン６を第１の回転数で回転させる。すると、操作表示ユニット３と機器本体２の小さな隙間を通して、開口部１５を通して機器本体２内に外気を吸い込む。
【００４８】
また、押しボタン２０が操作されて、操作表示ユニット３が第１の位置から第２の位置に向かって移動して、操作表示ユニット３の機器本体２に対する相対的な位置が第１の位置と第３の位置との間に位置付けられていることを検出器５が検出すると、冷却ファン６を第１の回転数よりも低い第２の回転数で回転させる。このため、前面１０ａと操作表示ユニット３との間の隙間が大きくなって、開口部１５を通して機器本体２内に外気を吸い込み易くなるが、当該開口部１５を通して機器本体２内に吸い込む外気の量が抑制される。
【００４９】
さらに、押しボタン２０が操作されて、操作表示ユニット３が更に第２の位置に向かって移動して、操作表示ユニット３の機器本体２に対する相対的な位置が第３の位置よりも第２の位置寄りに位置付けられていることを検出器５が検出すると、冷却ファン６を前述した第２の回転数よりも更に低い第３の回転数で回転させる。そして、勿論、操作表示ユニット３が第２の位置に位置付けられても、冷却ファン６は第３の回転数で回転した状態を維持する。このように、ＭＰＵ８は、検出器５が検出した操作表示ユニット３の位置に基づいて、当該操作表示ユニット３が第１の位置に位置付けられた場合の冷却ファン６の回転数よりも、第２の位置に位置付けられた場合の冷却ファン６の回転数を低くする。
【００５０】
前述した構成の多機能電子機器１は、ＭＤ、ＣＤやＤＶＤ−ＲＯＭなどを機器本体２内に挿入する際には、操作表示ユニット３を図２に示す第３の位置又は図３に示す第２の位置に位置付ける。また、ＣＤやＤＶＤ−ＲＯＭなどを機器本体２内に挿入しかつ表示パネル１９で地図情報やテレビ放送波の映像を表示する際には、操作表示ユニット３を図２に示す第３の位置や、操作表示ユニット３を任意の向きに位置付ける。さらに、ＭＤ、ＣＤやＤＶＤ−ＲＯＭなどの再生を行う場合や、表示パネル１９で地図情報やテレビ放送波の映像を表示する際には、操作表示ユニット３を図１に示す第１の位置又は図２に示す第３の位置に位置付ける。
【００５１】
また、多機能電子機器１は、前述した押しボタン２０を押圧することで、操作表示ユニット３を第１の位置と第２の位置との間で移動自在としており、これらの間の任意の位置に操作表示ユニット３を位置付けることが可能となっている。即ち、多機能電子機器１は、第１の位置と第２の位置との間で、操作表示ユニット３の角度を任意に変更可能としている。
【００５２】
さらに、多機能電子機器１は、前述した第１の位置と第２の位置との間の任意の位置の操作表示ユニット３を、押しボタン２０が押圧されることで第１の位置又は第２の位置まで移動するようになっている。多機能電子機器１は、第２の位置で、ＭＤが挿入されたり、押しボタン２０が押圧されることで、操作表示ユニット３を第１の位置に向かって移動する。
【００５３】
本実施例によれば、検出器５の検出した操作表示ユニット３の位置に基づいて、操作表示ユニット３が第１の位置の位置付けられた場合よりも第２の位置に位置付けられた場合の冷却ファン６の回転数を低くするので、第１の位置における機器本体２の前面１０ａに設けられた開口部１５を通して機器本体２内に吸い込む外気の量と、第２の位置における開口部１５を通して機器本体２内に吸い込む外気の量との差を抑制できる。したがって、機器本体２の前面１０ａの少なくとも一部を操作表示ユニット３が露出させた際の冷却ファン６が発生する騒音を抑制することができる。なお、第２の位置の方が第１の位置のときよりも開口部１５が露出して、当該開口部１５を通して外気を機器本体２内に吸い込み易くなるので、機器本体２内をより冷却でき当該機器本体２の温度が低下し易いので、第２の位置に位置付けられた場合の冷却ファン６の回転数を下げても、多機能電子機器１の動作に支障を与えることがない。したがって、操作表示ユニット３が第１の位置に位置付けられた場合よりも第２の位置に位置付けられた場合の冷却ファン６の回転数を低くしても、多機能電子機器１の動作に支障を与えることがない。
【００５４】
また、操作表示ユニット３が第１の位置と第３の位置との間に位置付けると、冷却ファン６の回転数を第１の位置における第１の回転数よりも低い第２の回転数とする。このため、第１の位置における機器本体２の前面１０ａに設けられた開口部１５を通して機器本体２内に吸い込む外気の量と、第１の位置と第３の位置との間における開口部１５を通して機器本体２内に吸い込む外気の量との差を確実に抑制でき、機器本体２の前面１０ａの少なくとも一部を操作表示ユニット３が露出させた際の冷却ファン６が発生する騒音を確実に抑制することができる。
【００５５】
前述した実施例では、可動部として操作表示ユニット３を示しているが、本発明では、可動部として操作表示ユニット３以外のものを用いても良い。
【００５６】
また、前述した実施例では、操作表示ユニット３が第１の位置に位置付けられていると冷却ファン６を第１の回転数で回転させ、操作表示ユニット３が第１の位置と第３の位置との間及び第３の位置に位置付けられていると冷却ファン６を第２の回転数で回転させ、操作表示ユニット３が第３の位置よりも第２の位置寄りに位置付けられていると冷却ファン６を前述の第２の回転数よりも更に低い第３の回転数で回転させるとしたが、本発明では、例えば、第１の位置から第２の位置に向かうにしたがって徐々に冷却ファン６の回転数を低下させても良い。この場合、機器本体２の前面１０ａの少なくとも一部を操作表示ユニット３が露出させた際の冷却ファン６が発生する騒音を確実に抑制することができる。
【００５７】
さらに、本発明では、任意の状態で、第１の位置での冷却ファン６の回転数よりも第２の位置での冷却ファン６の回転数を低くしても良い。勿論、本発明では、機器本体２の温度に基づいて、冷却ファン６の回転状況を制御しても良い。
【００５８】
また、前述した実施例では、下端部３ｂを前面１０ａから突没させ、上端部３ａを前面１０ａに沿って操作表示ユニット３をスライド移動させたが、本発明では、下端部に限らず操作表示ユニット３の任意の端部を突没させるように、操作表示ユニット３をスライド移動させても良い。
【００５９】
さらに、前述した実施例では、操作表示ユニット３の機器本体２に対する相対的な位置が第３の位置よりも第２の位置寄りに位置付けられていることを検出器５が検出すると、冷却ファン６を前述した第２の回転数よりも更に低い第３の回転数で回転させているが、本発明では、操作表示ユニット３の機器本体２に対する相対的な位置が第３の位置よりも第２の位置寄りに位置付けられていることを検出器５が検出すると、冷却ファン６を停止させても良い。
【００６０】
前述した実施例によれば、以下の多機能電子機器１が得られる。
（付記）  機器本体２と、
前記機器本体２の前面１０ａに重なる第１の位置と、
前記第１の位置よりも下端部３ｂが前記前面１０ａから突出した第２の位置とに亘って移動自在に設けられた操作表示ユニット３と、
前記前面１０ａに設けられ外気を流入可能な開口部１５と、
前記機器本体２内に設けられた冷却ファン６と、を備えた多機能電子機器１において、
前記操作表示ユニット３の前記機器本体２に対する相対的な位置を検出可能な検出器５と、
前記検出器５が検出した前記操作表示ユニット３の位置に基づいて、当該操作表示ユニット３が前記第１の位置に位置付けられた場合の前記冷却ファン６の回転数よりも前記第２の位置に位置付けられた場合の前記冷却ファン６の回転数を低くするＭＰＵ８と、
を備えたことを特徴とする多機能電子機器１。
【００６１】
付記によれば、検出器５の検出した操作表示ユニット３の位置に基づいて、操作表示ユニット３が第１の位置に位置付けられた場合よりも第２の位置に位置付けられた場合の冷却ファン６の回転数を低くするので、第１の位置における機器本体２の前面１０ａに設けられた開口部１５を通して機器本体２内に吸い込む外気の量と、第２の位置における開口部１５を通して機器本体２内に吸い込む外気の量との差を抑制できる。したがって、機器本体２の前面１０ａの少なくとも一部を操作表示ユニット３が露出させた際の冷却ファン６が発生する騒音を抑制することができる。
【図面の簡単な説明】
【００６２】
【図１】本発明の一実施例にかかる多機能電子機器の外観を示す斜視図である。
【図２】図１に示された多機能電子機器の操作表示ユニットが第３の位置に位置付けられた状態を示す斜視図である。
【図３】図１に示された多機能電子機器の操作表示ユニットが第２の位置に位置付けられた状態を示す斜視図である。
【図４】図１に示された多機能電子機器の機器本体を正面からみた示す説明図である。
【図５】図１に示された多機能電子機器の要部の構成を示すブロック図である。
【図６】図１に示された多機能電子機器の要部を側方からみた説明図である。
【符号の説明】
【００６３】
１  多機能電子機器（電子機器）
２  機器本体
３  操作表示ユニット（可動部）
３ｂ  下端部（一端部）
１０ａ  前面（一つの面）
１５  開口部
【図１】
0004833182.tif 000002
【図２】
0004833182.tif 000003
【図３】
0004833182.tif 000004
【図４】
0004833182.tif 000005
【図５】
0004833182.tif 000006
【図６】
0004833182.tif 000007